(57)【要約】  【課題】  キャスターを構成する部品の点数を減らすことによって、製造工数を小さくし、製造コストを低減させることができるサイレントキャスターを提供する。  【解決手段】  二股に分岐された左右の支持片１ａ，１ｂと、この支持片１ａ，１ｂの上端部同士を連絡する中央片１ｃと、この中央片１ｃに形成された凹部１ｄとが一体的に形成されてなるヨーク１と、凹部１ｄの上端から突出する凸部１２と凹部１ｄの外周部を形成する周側壁１１の先端部が折り曲げられてなる折り曲げ部１３との間に収容され、固定される軸受２と、ヨーク１の左右の支持片１ａ，１ｂ間に回転自在に保持される車輪Ｂとを有する。  【選択図】図１
2005319980.tif 000002
【特許請求の範囲】
【請求項１】
二股に分岐された左右の支持片と、該支持片の上端部同士を連絡する中央片と、該中央片に形成された凹部とが一体的に形成されてなるヨークと、
前記凹部の上端から突出する凸部と前記凹部の外周部を形成する周側壁の先端部が折り曲げられてなる折り曲げ部との間に収容され、固定される軸受と、
前記ヨークの左右の支持片間に回転自在に保持される車輪とを有することを特徴とするサイレントキャスター。
【請求項２】
二股に分岐された左右の支持片と、該支持片の上端部同士を連絡する中央片と、該中央片に形成された凹部とが一体的に形成されてなるヨークと、
前記凹部の外周部を形成する周側壁の一部が垂直方向に折り曲げられて突出する凸片と前記周側壁の先端部が折り曲げられてなる折り曲げ部との間に収容され、固定される軸受と、
前記ヨークの左右の支持片間に回転自在に保持される車輪とを有することを特徴とするサイレントキャスター。
【請求項３】
ヨークがプラスチック等の合成樹脂で一体的に成形されていることを特徴とする請求項１又は２に記載のサイレントキャスター。
【請求項４】
上端部に雄ネジが形成された旋回軸が軸受の内輪に固定されていることを特徴とする請求項１乃至３のいずれか１項に記載のサイレントキャスター。
【請求項５】
周側壁の外周に固定される嵌合部材を有することを特徴とする請求項１乃至４のいずれか１項に記載のサイレントキャスター。
【発明の詳細な説明】
【技術分野】
【０００１】
本発明は、椅子又は台車等の各種運搬車の下部に取り付けられるキャスターであって、特に使用時に静音性を備えたものに関する。
【背景技術】
【０００２】
従来のこの種のキャスターとして、図８に示すように、台座５１の下側に軸受５２を介して、車輪５７用のフレーム５３の上板５３ａを回動自在に取り付けたものがある（特許文献１参照）。
【特許文献１】特開平１１−２４５６０７号公報
【発明の開示】
【発明が解決しようとする課題】
【０００３】
上記従来のキャスターでは、台座５１及び軸受５２の内輪５２ａを旋回軸５４に固着し、軸受５２の外輪５２ｂに固着した軸受ケース５５に、車輪５７用のフレーム５３の上板５３ａを固着する構成となっていた。したがって、軸受ケース５５を製造した後、この軸受ケース５５を外輪５２ｂに固着する作業を必要とすることから、部品点数及び製造工数が大きくなり、製造コストが高くなるものとなっていた。
【０００４】
本発明は上記点に鑑み、キャスターを構成する部品の点数を減らすことによって、製造工数を小さくし、製造コストを低減させることができるサイレントキャスターを提供することを目的とする。
【課題を解決するための手段】
【０００５】
請求項１の発明は、二股に分岐された左右の支持片と、該支持片の上端部同士を連絡する中央片と、該中央片に形成された凹部とが一体的に形成されてなるヨークと、前記凹部の上端から突出する凸部と前記凹部の外周部を形成する周側壁の先端部が折り曲げられてなる折り曲げ部との間に収容され、固定される軸受と、前記ヨークの左右の支持片間に回転自在に保持される車輪とを有することに特徴を有する。
【０００６】
請求項２の発明は、二股に分岐された左右の支持片と、該支持片の上端部同士を連絡する中央片と、該中央片に形成された凹部とが一体的に形成されてなるヨークと、前記凹部の外周部を形成する周側壁の一部が垂直方向に折り曲げられて突出する凸片と前記周側壁の先端部が折り曲げられてなる折り曲げ部との間に収容され、固定される軸受と、前記ヨークの左右の支持片間に回転自在に保持される車輪とを有することに特徴を有する。
【０００７】
請求項３の発明は、ヨークがプラスチック等の合成樹脂で一体的に成形されていることに特徴を有する。
【０００８】
請求項４の発明は、上端部に雄ネジが形成された旋回軸が軸受の内輪に固定されていることに特徴を有する。
【０００９】
請求項５の発明は、周側壁の外周に固定される嵌合部材を有することに特徴を有する。
【発明の効果】
【００１０】
請求項１の発明は、二股に分岐された左右の支持片と、該支持片の上端部同士を連絡する中央片と、該中央片に形成された凹部とが一体的に形成されてなるヨークと、前記凹部の上端から突出する凸部と前記凹部の外周部を形成する周側壁の先端部が折り曲げられてなる折り曲げ部との間に収容され、固定される軸受と、前記ヨークの左右の支持片間に回転自在に保持される車輪とを有することに特徴を有するので、従来のキャスターよりも部品点数と製造工数とを減らすことができ、コストの低減を図ることができる。
【００１１】
請求項２の発明は、二股に分岐された左右の支持片と、該支持片の上端部同士を連絡する中央片と、該中央片に形成された凹部とが一体的に形成されてなるヨークと、前記凹部の外周部を形成する周側壁の一部が垂直方向に折り曲げられて突出する凸片と前記周側壁の先端部が折り曲げられてなる折り曲げ部との間に収容され、固定される軸受と、前記ヨークの左右の支持片間に回転自在に保持される車輪とを有することに特徴を有するので、上記請求項１の発明と同様に、部品点数と製造工数とを減らすことができ、コストの低減を図ることができる。
【００１２】
請求項３の発明は、ヨークがプラスチック等の合成樹脂で一体的に成形されていることに特徴を有するので、コストの低減と共にキャスターの軽量化を図ることができる。
【００１３】
請求項４の発明は、上端部に雄ネジが形成された旋回軸が軸受の内輪に固定されていることに特徴を有するので、旋回軸の雄ネジに螺合する雌ネジを有する台座等を取り付けることによって、椅子や台車等への組み付け作業を容易にすることができる。
【００１４】
請求項５の発明は、周側壁の外周に固定される嵌合部材を有することに特徴を有するので、請求項１乃至４のいずれかに１項に記載の発明の奏する効果に加えて、軸受を保持する周側壁の先端部の強度を補強することができる。
【発明を実施するための最良の形態】
【００１５】
次に、本発明の実施形態を図面に基づいて説明する。図１は本発明の第１の実施形態に係るキャスターを分解した斜視図である。この図に示すように、ヨーク１は二股に分岐された左右の支持片１ａ，１ｂと、この支持片１ａ，１ｂの上端部同士を連絡する中央片１ｃと、この中央片１ｃに形成された凹部１ｄとが一体的に形成されているものである。そして、凹部１ｄは中央片１ｃの面に対して垂直下方向に折り曲げられた複数の周側壁１１，１１，１１・・と、凹部１ｄの上端から中央片１ｃの面に対して平行方向に突出する複数の凸部１２，１２，１２・・とから構成されているものである。
【００１６】
次に、２は軸受であり、２１は軸受の内輪を示している。また、４２は軸受２１の下面に取り付けられるワッシャーである。さらに、５は、周側壁１１の外周に嵌合される鉄製のリングである。３は凹部１ｄの上部に取り付けられるワッシャーであり、このワッシャー３の開口３１の直径は中間部にナット４１が設けられた旋回軸４の直径よりも大きくなっている。そして、この旋回軸４の上部には雄ネジ４ａが形成されているのである。この雄ネジ４ａには、これに螺合する雌ネジを有する台座等を取り付けることによって、椅子や台車等へ組み付けられるのである。
【００１７】
図２は本発明の第１の実施形態に係るキャスターを示す一部断面図である。この図に示すように、軸受２は凸部１２と周側壁１１の先端が折り曲げられてなる折り曲げ部１３との間に収容され、固定されている。凸部１２を有する凹部１ｄの上部にはワッシャー３が配設され、ワッシャ３とヨーク１との間に約２ｍｍの隙間を有している。さらに、旋回軸４が軸受２の内輪２１に挿嵌され、ワッシャー４２を挿入した後、先端部分４ｂがかしめられることによって、旋回軸４が軸受２の内輪２１に固定されることになり、旋回軸４を中心としてヨーク１が回転自在となるのである。さらに、周側壁１１の外周には嵌合部材であるリング５が嵌合され、固定されることによって、周側壁１１の先端部の強度を補強しているのである。尚、車輪Ｂはヨーク１の支持片１ａ，１ｂ間に回転自在に取り付けられている。
【００１８】
図３は本発明の第２の実施形態に係るキャスターを分解した斜視図である。６は、周側壁１１の外周に嵌合される鉄製のキャップである。このキャップ６は、折り曲げ前の周側壁１１の先端が挿通可能な複数の挿通孔６１，６１，６１・・を有する底壁６２を備えている。なお、図３及び４には、第１の実施形態におけると同じものを同じ番号で示してある。
【００１９】
図４は本発明の第２の実施形態に係るキャスターを示す一部断面図である。この図に示すように、キャップ６は周側壁１１の先端が折り曲げられる前に周側壁１１の外周に嵌合され、固定されている。また、軸受２はキャップ６の底壁６２により軸受２の下方が被覆されることになり、軸受２に埃、塵等の回転阻害物の侵入を防止するのである。さらに、デザイン的にも優れる。
【００２０】
図５は本発明の第３の実施形態に係るキャスターを分解した斜視図である。この図に示すヨークＡはプラスチック等の合成樹脂で一体的に成形されたものである。このヨークＡも上述した第１の実施形態のヨークと同様にして、二股に分岐された左右の支持片１ａ，１ｂと、この支持片１ａ，１ｂの上端部同士を連絡する中央片１ｃと、この中央片１ｃに形成された凹部１ｄとが一体的に形成されてなるものである。尚、凹部１ｄの内部には軸受Ａ２の外輪の底面が接触する段部Ａ１が設けられている。
【００２１】
図６も本発明の第３の実施形態に係るキャスターを分解した斜視図である。この図に示すように軸受Ａ２がヨークＡの上方から凹部１ｄに挿入されると、この軸受Ａ２は、外輪の底面が接触する段部Ａ１と、凹部１ｄの外周部を形成する周側壁の一部がこの周側壁に対して垂直に折り曲げられて突出する凸片Ａ３との間に固定される。なお、軸受Ａ２の上方にはワッシャーＡ４が配設され、ワッシャーＡ４とヨークＡとの間には約２ｍｍの隙間を有している。
【００２２】
図７は本発明の第３の実施形態に係るキャスターを示す一部断面図である。この図に示すように軸受Ａ２の外輪の底面がヨークの段部Ａ１と接触し、軸受Ａ２の外輪の上面がヨークの凸片Ａ３と接触して、このヨークの段部Ａ１と凸片Ａ３との間に固定されるのである。さらに、旋回軸Ａ５が軸受Ａ２の内輪に上方向から挿嵌され、この旋回軸Ａ５の底部Ａ６がかしめられることによって、軸受Ａ２の内輪に旋回軸Ａ５が固定されるのである。
【００２３】
尚、本発明の趣旨を逸脱しない範囲において、種々の実施形態をとることができることは言うまでもない。例えば、本発明の第３の実施形態においてはヨークＡをプラスチック等の合成樹脂で一体的に成型されたものとしているが、軸受Ａ２、ワッシャーＡ４及び旋回軸Ａ５についてもプラスチック等の合成樹脂を適用することができるものである。そのような構成とすることによって、椅子や台車等の使用時の静音性をさらに向上させることができ、長年使用した場合でも金属の場合に発生する錆の問題も生じないため、衛生的であり、医療機関等で使用する場合にも適したものとすることができるのである。
【００２４】
また、第１の実施形態又は第２の実施形態における嵌合部材を第３の実施形態に用いても良い。
【図面の簡単な説明】
【００２５】
【図１】本発明の第１の実施形態に係るキャスターを分解した斜視図である。
【図２】本発明の第１の実施形態に係るキャスターを示す一部断面図である。
【図３】本発明の第２の実施形態に係るキャスターを分解した斜視図である。
【図４】本発明の第２の実施形態に係るキャスターを示す一部断面図である。
【図５】本発明の第３の実施形態に係るキャスターを分解した斜視図である。
【図６】本発明の第３の実施形態に係るキャスターを分解した斜視図である。
【図７】本発明の第３の実施形態に係るキャスターを示す一部断面図である。
【図８】従来のキャスターを示す一部断面図である。
【符号の説明】
【００２６】
１，Ａ  ヨーク
１ａ，１ｂ  支持片
１ｃ  中央片
１ｄ  凹部
２，Ａ２  軸受
３，４２，Ａ４  ワッシャー
４，Ａ５  旋回軸
５  リング（嵌合部材）
６  キャップ（嵌合部材）
【図１】
2005319980.tif 000003
【図２】
2005319980.tif 000004
【図３】
2005319980.tif 000005
【図４】
2005319980.tif 000006
【図５】
2005319980.tif 000007
【図６】
2005319980.tif 000008
【図７】
2005319980.tif 000009
【図８】
2005319980.tif 000010